(57)【要約】物側から像側へ、前部レンズ群（１２）と制御可能なレンズ群と（２４）とを備えるズームレンズ（３０）において、制御可能なレンズ群は、異なる分散を有し且つ焦点合わせ動作を行うために互いに対して移動可能な２つのレンズ素子（２５、２６）を備えている。これらのレンズ素子の一方がズームレンズの分散を補正する。ズームレンズは少なくとも１つの折り畳みミラーを備えることが好ましい。
2006505820.tif 000002
【特許請求の範囲】
【請求項１】
少なくとも前部レンズ群と、制御可能なレンズ群とを有するズームレンズであって、前記制御可能なレンズ群は、異なるレンズ材料で作成され且つ互いに対して移動可能な２つのレンズ素子を備えることを特徴とする、ズームレンズ。
【請求項２】
レンズ絞りを有し、
前記レンズ絞りは前記制御可能なレンズ群の第１のレンズ素子の近傍に配置され、且つこのレンズ群と共に移動可能であることを特徴とする、請求項１に記載のズームレンズ。
【請求項３】
前記前部レンズ群と前記制御可能なレンズ群との間に配置された折り畳みミラーを備えることを特徴とする、請求項１または２に記載のズームレンズ。
【請求項４】
前記制御可能なレンズ群の後に配置された第２の折り畳みミラーを備えることを特徴とする、請求項３に記載のズームレンズ。
【請求項５】
前記折り畳みミラーは前記前部レンズ群と一体化されていることを特徴とする、請求項３に記載のズームレンズ。
【請求項６】
前記折り畳みミラーは、その反射面の法線と前記前部レンズ群の光軸との角度が４５°よりも大きくなるように配置されることを特徴とする、請求項４に記載のズームレンズ。
【請求項７】
請求項１乃至６のいずれかに記載のズームレンズを備えるカメラ。
【請求項８】
入力手段と、情報処理手段と、表示手段と、請求項７に記載のカメラとを具備してなる手持ち式装置。
【発明の詳細な説明】
【技術分野】
【０００１】
本発明は、少なくとも前部レンズ群と制御可能なレンズ群とを有するズームレンズに関する。  
本発明はまた、このようなズームレンズを備えるカメラ、およびこのようなカメラを備える手持ち式装置に関する。
【背景技術】
【０００２】
従来のズームレンズは、ガラスのような透明材料または透明プラスチックで作成された、いくつかの固体レンズ素子を含んでいる。これらのレンズ素子は、物側の前部レンズ群と、像側の後部レンズ群と、前部群と後部群との間の制御可能なレンズ群とにグループ分けされる。これらの各群は、１つ以上のレンズ素子からなってもよい。制御可能なレンズのレンズ素子は、ズームを行うために移動可能となっている。ズームとは、ズームレンズの焦点距離を変化させることによって画像倍率を変化させること、即ち結像される物体風景の大きさを選択することを意味すると理解されている。ズームレンズの最大の設定は、物体風景の小さな部分が結像されるテレ構成、および物体風景の大きな部分が結像されるワイド構成である。制御可能なレンズ群のレンズ素子を移動させることによって、ズームレンズをこれら２つの極端構成とその間の構成との間で設定することができる。
【０００３】
現在、小型カメラは携帯電話等の手持ち式装置に内蔵されているため、このようなカメラのためのズームレンズに対する必要性が生じている。小型カメラに対するズームレンズの組み込み高さを、手持ち式装置内で利用可能なスペースに適合させる必要がある。携帯電話に組み込まれるカメラの組み込み高さは、前部レンズ素子とカメラのイメージセンサの後部との間の距離であり、このセンサは受信画像を電気信号に変換するものである。これは、前部レンズ素子を装置の前面に収容しなければならないためである。従って、ズームレンズの光軸は装置の奥行き方向に延びている。携帯電話または他の手持ち式装置に実際に要求されることは、その奥行きまたは厚さが小さなことである。ズームレンズを有するカメラの組み込み高さは主に、制御可能なレンズ群を移動させるのに必要なスペースによって決定される。
【０００４】
ズーム動作に加えて、ズームレンズにおいては焦点合わせ動作を行わなければならない。焦点合わせとは、選択された物体風景の焦点をズームレンズ系の構成ごとに合わせることを意味すると理解されている。従来、前部レンズ群またはイメージセンサをズームレンズの光軸に沿って上下に移動させることによって焦点合わせ動作を行うことができた。このためにさらなるスペースが必要とされると共に、ズームレンズの長さ、従ってカメラの組み込み高さが増す。
【０００５】
小型ズームレンズ等のレンズ系において、レンズ素子の数を可能な限り少なくしなければならい場合、ズームレンズの場合では例えば制御可能なレンズ群にホログラフィック回折格子を含めてレンズ素子の分散を補正してもよい。このような回折格子の回折角は、それに入射する自然光の異なる波長に対して異なる。この波長依存性を用いてズームレンズのレンズ素子の波長依存反応を大きく補正することができる。回折格子を用いない場合、付加的な要素を用いてレンズ素子の分散を補正しなければならない。しかし、回折格子の回折効率は１つの波長でのみ最適であり、他の波長では低下する。即ち、前記他の波長のすべての光が要求された方向に偏光されるわけではないため、前記他の波長によって付加的なゴーストぼやけ画像がイメージセンサに形成される。このため、イメージセンサ上の画像のコントラストが低下する。
【発明の開示】
【発明が解決しようとする課題】
【０００６】
本発明の目的は、小さな組み込み高さを有し、従って小型カメラに適し、且つ分散を十分に補正するズームレンズを提供することである。
【課題を解決するための手段】
【０００７】
このズームレンズは、制御可能なレンズ群が、異なるレンズ材料で作成され且つ互いに対して移動可能な２つのレンズ素子を備えることを特徴とする。
【０００８】
制御可能なレンズのレンズ機能を２つのレンズ素子に割り当てることによって、このレンズが２つの付加的な機能を行うことが可能となる。異なる屈折率を有するレンズ材料を用いることによって分散を補正することができる。レンズ素子を互いに対して移動させることによって焦点合わせが可能となるため、前部レンズ群またはイメージセンサのいずれかを移動させるために特別なスペースを必要としない。制御可能なレンズ群全体を移動させることによってズームが行われる。
【０００９】
レンズ絞りを有するズームレンズの好ましい実施の一態様は、前記レンズ絞りが制御可能なレンズ群の第１のレンズ素子の近傍に配置され、且つこのレンズ群と共に移動可能であることを特徴とする。
【００１０】
レンズ系における絞りは、この系でダイヤフラムによって形成される最も小さな開口である。この絞りは結像ビームの直径を制限し、迷放射線または不要な反射からの放射線が結像ビームに導入され、画像におけるコントラストを低下させることを防止するものである。絞りを制御可能な、即ち移動可能なレンズ群の近傍に配置し、このレンズ群と同時に絞りを移動させることによって、この群のレンズ素子の直径をおよそ絞り開口の直径まで制限することが可能になる。このような小さなレンズ素子を用いることにより、誤った光がレンズ系に結合する可能性が低下する。
【００１１】
ズームレンズ系における絞りの位置も、ズームレンズの組み込み高さの大幅な縮小を可能にする不可欠な特性にとっては大きな重要性がある。この特性を含むズームレンズの実施の一態様は、前部レンズ群と制御可能なレンズ群との間に配置された少なくとも折り畳みミラーを備えることを特徴とする。
【００１２】
単一のレンズ素子および制御可能なレンズを備える前部レンズ群のみを有するズームレンズの特別な設計により、前部群と制御可能な群との間に十分なスペースを作ることが可能となる。折り畳みミラーを有する実施の態様によって、ズームレンズを有するカメラの主要部を、カメラが組み込まれる装置の主要面に対して平行に配置することが可能となる。
【００１３】
従来のズームレンズの設計では折り畳みミラーを導入することができず、レンズ素子間には折り畳みミラーを配置するための十分なスペースがない。
【００１４】
尚、ＵＳ−Ａ６，３３９，５０８には携帯電話に組み込まれる小型カメラのためのズームレンズが開示され、このズームレンズは、前部レンズ素子と可動レンズ素子との間に折り畳みミラーを含んでいる。この群は比較的多数のレンズ素子を含んでいる。このズームレンズにおいては、前部レンズ素子または後部レンズ素子を移動させることによって焦点合わせが行われ、そのために移動スペースを確保しておかなければならない。
【００１５】
制御可能なレンズ群の後に配置された第２の折り畳みミラーを備えることを特徴とする実施の一態様においてさらなる小型化が達成される。このようにして、ズームレンズの軌道長を、長さ方向に直角な方向にその寸法を大幅に増すことなく縮小することができる。
【００１６】
ＵＳ−Ａ４，２４９，７９８にはポケットカメラ用のズームレンズが開示されており、このズームレンズは、前部レンズ群と可動レンズ群との間の第１の折り畳みミラーと、可動レンズ群と後部レンズ群との間の第２の折り畳みミラーとを備える。前部レンズ群および後部レンズ群はそれぞれ２つのレンズ素子を備え、可動レンズ群は４つのレンズ素子を備えている。可動レンズ群の第３および第４のレンズ素子の間にレンズ絞りが配置されている。このズームレンズにおいても、可動レンズ群の移動素子が互いに対して移動することで焦点合わせが行われる訳ではない。
【００１７】
物側部分に折り畳みミラーを有するズームレンズの実施の一態様は、この折り畳みミラーが前部レンズ群と一体化されていることをさらに特徴としてもよい。
【００１８】
このようにして、ズームレンズの素子の数が１つ減り、それによって製造コストが低下する。
【００１９】
２つの折り畳みミラーを有するズームレンズの他の実施の態様は、第１の折り畳みミラーが、その反射面の法線と光軸との角度が４５°よりも大きくなるように配置されることを特徴とする。
【００２０】
この場合、イメージセンサをズームレンズの光軸により近接して配置してもよく、それによってカメラの全体の大きさをさらに縮小させることができる。ズームレンズが組み込まれるカメラは本発明によって提供される特性によって従来のカメラとは区別されるため、このようなカメラは本発明の一部をなす。
【００２１】
手持ち式装置にこのようなカメラを組み込むことによって、このような装置にズーム機能が備わるため、このような装置も本発明の一部をなす。
【００２２】
本発明のこれらおよび他の態様は、以下に説明する実施の形態を参照することによって限定することのない一例として明らかとなるであろう。
【発明を実施するための最良の形態】
【００２３】
添付図面において、同一の参照番号は同一の要素を示している。  
図１ａおよび１ｂは、小型カメラ１のためのズームレンズ１０の基本設計を示している。このカメラは、ＣＣＤまたはＣＭＯＳイメージセンサ１８と、関連する処理電子機器（図示せず）を有している。このカメラは非常に小さなため、携帯電話または他の手持ち式装置に組み込むことができる。このようなズームレンズに定められる要件は主に、イメージセンサの特性、例えばその大きさ、解像度および必要とされるズーム倍率によって決定される。実際には、センサは例えば３．３６ｍｍの対角寸法を有し、解像度を決定する画素サイズは例えば５．６μｍから４．２μｍである。２のズーム倍率で十分である。尚、この応用では、画造形成のために２つのレンズ素子のみを有するズームレンズを設計することができる。これらのレンズは、前部レンズ群を形成する前部レンズ素子１２、および制御可能なレンズ群１２を形成する可動レンズ素子１４である。レンズ絞り１６は、前部レンズ素子１２の側でレンズ素子１４の近傍に配置されたダイヤフラムによって形成される。このダイヤフラムは結像ビームの直径を制限し、迷放射線または不要な反射からの放射線が結像ビームに導入され、センサに形成される画像におけるコントラストを低下させることを防止するものである。このようなダイヤフラムによって、すべての結像ビーム部分でビーム直径が確実に同じとなる。ズームレンズの光学軌道、即ち前部レンズ素子の前面とイメージセンサの前面（画面）との間の距離は例えば１４ｍｍ程の小ささであってもよい。
【００２４】
ズーム、即ち画像サイズの設定は、光軸ＯＯ’に沿ってダイヤフラム１６と共にレンズ素子１４を移動することによって行われ、それによってズームレンズの焦点距離を変化させる。
【００２５】
図１ａは、ズームレンズのテレ構成の光線追跡プロットを示しており、観察風景の小さな物体が結像されている。図１ｂは、ズームレンズのワイド構成の光線追跡プロットを示しており、風景の大きな物体が結像されている。
【００２６】
各ズーム構成で画像をイメージセンサに焦点合わせするためには、ズーム動作に加えて焦点合わせ動作の必要がある。従来、前部レンズ群またはイメージセンサをズームレンズの光軸に沿って移動させることによってこのようなズーム動作を行っていた。このような移動のためにはスペースを確保しておかなければならいため、このようなズームレンズが設けられたカメラは大型化していた。
【００２７】
さらに、ズームレンズのレンズ素子には分散の問題があり、即ち異なる波長を有する結像ビームｂの成分がこれらのレンズ素子によって異なる屈折のされ方をすることである。レンズ素子の数を最小限に制限するためには、ホログラフィック回折格子をズームレンズに組み込んでもよく、この回折格子が、異なる波長を有する結像ビームの成分に異なる回折の仕方をさせる。回折格子およびズームレンズを、レンズ素子の分散を回折格子の波長依存回折によって補正することができるように設計することができる。しかし、回折格子の効率、即ち回折格子に入射する放射線の量に対する要求された回折次数で回折される放射線の量の比率は波長に依存する。回折格子は１つの波長でのみ最適な回折効率を示す。他の波長では放射線の一部が望ましくない次数で回折され、その結果イメージセンサ上にゴーストおよびぼやけ画像が生じるため、イメージセンサ上に形成される画像のコントラストが低下する。
【００２８】
コントラストの低下を回避するために、および前部レンズ群またはイメージセンサを移動させることなく焦点合わせを可能にするために、本発明のズームレンズは、２つのレンズ素子で構成される制御可能なレンズ群を備える。図２ａおよび２ｂは、このようなズームレンズ２０の第１の実施の形態を示している。新たな制御可能なレンズ群は参照番号２４で示され、そのレンズ素子は２５および２６で示されている。レンズ素子２５は２つの凸面を有する正の素子であってもよく、レンズ素子２６は２つの凹面を有する負の素子であってもよい。レンズ素子２５および２６は異なる分散またはアッベ数を有する異なるレンズ材料で作成され、それによってこれらの素子の一方が他方のレンズ素子の分散を補正することが可能になる。例えば、レンズ素子２５および２６の一方はポリカーボネート（ＰＣ）で作成されてもよく、他方のレンズおよび前部レンズ素子はポリメタクリル酸メチル（ＰＭＭＡ）で作成されてもよい。両方の材料はよく知られた光学材料である。環状オレフィン重合体（ＣＯＣ）のような他の透明なプラスチック材料をレンズ素子に用いてもよい。
【００２９】
レンズ素子２５および２６は、本質的に知られ且つ図１ａおよび１ｂには示されていない別個のモーター駆動装置によって駆動されるため、レンズ素子を独立して移動させることができる。レンズ素子２５および２６を互いに対して移動させることで焦点合わせが行われる。それぞれズームレンズのテレ構成およびワイド構成を示す図２ａおよび２ｂに示されているように、これらのレンズ素子を同一方向に且つ前部レンズ素子に対して同一の距離で同時に移動させることでズームが行われる。
【００３０】
図２ａおよび２ｂに示されているように、レンズ素子２５にレンズ絞り１６が配置され、ズーム動作中にレンズ素子２５および２６と同時に、同一方向に、且つ同一の距離で絞りが移動する。レンズ絞りの近傍のレンズ素子の直径は絞り開口の直径とほぼ同一であってもよいため、レンズ素子の大きさを小さくすることができ、イメージセンサには誤った光が到達しないか、または無視し得る量が到達する。
【００３１】
図１ａ乃至２ｂに示されたズームレンズ設計では、折り畳みミラーをズームレンズ内に導入することが可能となる。従来のズームレンズ設計においては、このようなミラーのために利用できる十分なスペースがレンズ素子間になかった。
【００３２】
図３ａおよび３ｂは、前部レンズ素子１２と制御可能なレンズ群２４の第１のレンズ素子との間に配置された折り畳みミラー３２を有するズームレンズ３０の実施の形態を示している。物体風景からの結像ビームｂは、前部レンズ素子１２に直角に入射する。この素子を通過した後に、ミラー３２がビームｂの主光線に対して４５°の角度で配置されていれば、ビームはミラー３２によって９０°の角度で、即ち水平方向に反射される。他の素子、即ち、レンズ素子２５および２６、およびイメージセンサ１８は水平方向に配列されている。この水平方向は装置の前面に平行し、この前面にカメラ、即ちズームレンズおよびイメージセンサを組み込まなければならない。このようにして、カメラの組み込み高さｈｃは、ミラー３２の高さと前部レンズ素子１２の厚さとの合計まで減少される。
【００３３】
ズームレンズに折り畳みミラーを含めることによって、２つの独立して移動可能なレンズ素子を有する制御可能なレンズ群を含めることによって可能となるよりも実質的により大きくカメラの組み込み高さを縮小することが可能になる。しかし、既に折り畳みミラーが設けられているズームレンズにこのようなレンズ群を含めることによって、後者の可能性を用いてカメラの組み込み高さをさらに縮小し、この高さを一定にすることが可能になる。
【００３４】
ズームレンズのテレ構成の光線追跡プロットを示している図３ａから明らかなように、この構成におけるレンズ絞り１６は折り畳みミラー３２の非常に近くに位置している。図３ｂは、ズームレンズのワイド構成の光線追跡プロットを示している。
【００３５】
ズームレンズに第２の折り畳みミラーを設けることによってズームレンズの全体の大きさをさらに縮小することができる。図４ａおよび４ｂは、このような第２のミラーを有するズームレンズの実施の形態、およびそれぞれテレ構成およびワイド構成の光線追跡プロットを示している。第２の折り畳みミラー４２は可動レンズ素子２６とイメージセンサ１８との間に配置されている。このミラーは、レンズ素子２６から来る結像ビームｂを、ビームの主光線に対して４５°の角度で配置されていれば、９０°の角度で、即ち垂直方向に反射するため、イメージセンサをこの方向に配置することができる。このようにして、水平方向におけるズームレンズ、従ってカメラの寸法を、垂直方向の寸法を大幅に拡大することなく減少させることができる。従って、この寸法、即ち組み込み高さは前部レンズ素子の前面とイメージセンサの前面との間の距離となる。この高さは３．７ｍｍ程の小ささであってもよい。イメージセンサおよびそのパッケージにはある程度の付加的な高さ、例えば１．５ｍｍを必要としてもよい。
【００３６】
ビームを下向きに反射する折り畳みミラー４２を、ビームが上向きに反射されるように反射ミラー４２に対して９０°の角度で配置された折り畳みミラーと置き換えてもよい。この場合、イメージセンサ１８を前部レンズ素子１２とほぼ同じ高さに配置することができる。
【００３７】
第２の折り畳みミラーが好まれることは、イメージセンサの厚さによって決定される。このセンサがそのパッケージを含んで十分に小さければ、またはセンサをそのプリント基板（ＰＣＢ）内に沈めることができ、そのＰＣＢをレンズ素子のより近くに配置することができれば、第２のミラーは必要とされない。
【００３８】
第１の折り畳みミラーの傾斜を適合させることによってズームレンズおよびカメラの組み込み高さをさらに減少させることができる。これは図５ａおよび５ｂに示されており、ズームレンズのこのような変形例５０のそれぞれテレ構成およびワイド構成の光線追跡プロットを示している。第１の折り畳みミラー１２は、このミラーに対する結像ビームｂの入射角θが４５°となるように配置されている。ビームは水平方向からやや上向きに反射され、第２の折り畳みミラー４２およびイメージセンサは、前部レンズ素子１２および第１のミラー３２とより一致するように上向きにシフトされている。図５ａおよび５ｂは単一の可動レンズ素子１４を有するズームレンズを示しているが、傾斜を適合させた第１の折り畳みミラーを図２ａ乃至４ｂに示されているようなズームレンズに用いることもできことは明らかである。
【００３９】
図６に示されているように、第１の折り畳みミラーを前部レンズ素子と共にミラーレンズ素子６２内に一体化してもよい。この素子は、ビームｂの主光線に対して例えば４５°の角度で配置された反射フラットベース面６４と、レンズ素子の屈折面を形成する２つの曲面６６および６８とを有している。このようにして、ズームレンズの素子の数、従ってその製造コストを低下させることができる。素子６２の曲面の少なくとも１つを、上述のズームレンズ実施形態の他のレンズ素子の場合のように、非球面としてもよい。
【００４０】
２つの可動レンズ素子を有する、図２ａおよび２ｂに示された新たなズームレンズの実際の実施の形態は以下のような特徴を有する。  
テレ          ワイド
焦点距離      ７．２ｍｍ    ３．６ｍｍ
Ｆナンバー    ５．９        ４．０
対角画角      ２６．８°    ５６°
このズームレンズは、３．３６ｍｍの対角寸法を有し且つ６４０×４８０画素を備えるＣＣＤまたはＣＭＯＳイメージセンサと協働するのに適しており、画素ピッチは４．２μｍである。
【００４１】
図７は、本発明のズームレンズを用いることができる手持ち式装置の一例を示している。この装置は、図７の正面図に示されている携帯電話７０である。この携帯電話は、ユーザの声をデータとして入力するマイクロフォン７２と、通信相手の声を出力するラウドスピーカー７４と、通信波を送信および受信するアンテナ７６とを有している。携帯電話はさらに、ユーザがダイアルする電話番号等のデータを入力する入力ダイアル７８と、ディスプレイ８０、例えば液晶ディスプレイパネルとを備えている。このパネルを用いて、通信相手またはユーザの写真を表示してもよく、またはデータおよびグラフィックを表示してもよい。入力データおよび受信データを処理するために、携帯電話にはデータ処理ユニット（図示せず）が含まれる。
【００４２】
電話７０には、相手またはユーザに伝達する風景、グラフィックまたはデータを撮影するための、上述のようなズームレンズを備える小型カメラ８２が設けられている。このカメラでは、ズームレンズの前部レンズ素子１２の入射面８４のみが見えている。カメラの他の素子、即ち可動レンズ素子およびイメージセンサを、電話の前面に垂直な線に沿って、即ち図７の図面の平面に垂直な方向に、この方向の電話の寸法が十分に大きければ、配列してもよい。ズームレンズは少なくとも１つの折り畳みミラーを備えることが好ましい。従って、少なくとも前記２つの可動レンズ素子は、比較的薄くてもよい電話の前面に平行な線に沿って配置される。
【００４３】
ズームレンズの前部レンズ素子を携帯電話の後面に配置してもよい。携帯電話にエンベロープまたはカバー部が設けられていれば、ズームレンズをこのエンベロープ内に配置してもよく、前部レンズ素子をこのエンベロープの主要面に配置してもよい。
【００４４】
本発明を実施してもよい他の手持ち式装置としては、小型カメラが設けられたパーソナルデジタルアシスタント（ＰＤＡ）がある。上述のようなズームレンズを有するこのようなカメラを、携帯電話で説明したのと同様にＰＤＡ内に配置してもよい。
【００４５】
図８は、本発明を実施してもよい携帯装置の一例としてのラップトップコンピュータ（ノートブック）を示している。ラップトップコンピュータ９０は基部９２を備え、ここにキーボード９５およびプロセッサユニットが組み込まれている。基部に対して回転させることができるカバー部９６は、ディスプレイ９８および小型カメラ１００を含む。上述のようなズームレンズが設けられたこのようなカメラを、携帯電話で説明したのと同様にラップトップ内に配置してもよい。
【００４６】
前部素子および制御可能なレンズ群のみを備えるズームレンズに関連して本発明を説明し、このズームレンズを適度の画素ピッチまたは解像度の小さなイメージセンサを有する小型カメラに使用することを目的とした。他の種類のイメージセンサを有するカメラのためのズームレンズは、後部レンズ素子と２つ以上のレンズ素子を有する前部および／または後部レンズ群を有してもよい。本発明をこのような種類のズームレンズに用いてもよい。さらに、本発明を、携帯電話、デジタルパーソナルアシスタント、ポケットコンピュータおよび電子玩具のような手持ち式装置、または携帯装置の小型カメラにのみならず、他の種類の内蔵カメラに用いることもできる。本発明を、デスクトップコンピュータのカメラ、内部通話装置のカメラ、およびポケットサイズまたは他のサイズのカメラ、例えばデジタルカメラのような非内蔵カメラに用いてもよい。カメラは静止画像（写真）カメラまたはビデオカメラであってもよい。カメラがフィルムを用いても、または電子センサ、例えばＣＣＤセンサまたはＣＭＯＳセンサを用いても本発明には無関係である。
【図面の簡単な説明】
【００４７】
【図１ａ】ズームレンズのテレ構成の光線追跡プロットを用いて、小型カメラのためのズームレンズの設計原理を示している。
【図１ｂ】ズームレンズのワイド構成の光線追跡プロットを用いて、小型カメラのためのズームレンズの設計原理を示している。
【図２ａ】本発明によるズームレンズの実施の形態、およびこのズームレンズのテレ構成の光線追跡プロットを示している。
【図２ｂ】本発明によるズームレンズの実施の形態、およびこのズームレンズのワイド構成の光線追跡プロットを示している。
【図３ａ】第１の折り畳みミラーが設けられたこのズームレンズの実施の一形態、および、同様の光線追跡プロットを示している。
【図３ｂ】第１の折り畳みミラーが設けられたこのズームレンズの実施の一形態、および、同様の光線追跡プロットを示している。
【図４ａ】第１および第２の折り畳みミラーを有するこのズームレンズの実施の一形態、および、同様の光線追跡プロットを示している。
【図４ｂ】第１および第２の折り畳みミラーを有するこのズームレンズの実施の一形態、および、同様の光線追跡プロットを示している。
【図５ａ】２つの折り畳みミラーを有するズームレンズの他の実施の形態を示している。
【図５ｂ】２つの折り畳みミラーを有するズームレンズの他の実施の形態を示している。
【図６】一体折り畳みミラーおよび前部レンズ素子を有するズームレンズ示している。
【図７】本発明によるズームレンズを含むカメラが設けられた携帯電話を示している。
【図８】本発明によるズームレンズを含むカメラが設けられたラップトップコンピュータを示している。
2006505820.tif 000003
2006505820.tif 000004
2006505820.tif 000005
2006505820.tif 000006
2006505820.tif 000007
【図６】
2006505820.tif 000008
【図７】
2006505820.tif 000009
【図８】
2006505820.tif 000010
【国際調査報告】
2006505820.tif 000011
2006505820.tif 000012
2006505820.tif 000013